(57)【要約】【課題】干し方を異にする洗濯物やサイズを異にする洗濯物を、同時に最適な状態で干すことを可能とする。【解決手段】第１外枠半体部材３と第２外枠半体部材４とによりヒンジ部１１を介して二つ折り自在な外枠部材２を構成し、第１ハンガー半体部材６と第２ハンガー半体部材７とをスライド機構３４を介して組み合わせて伸縮自在なハンガー部材５を構成する。外枠部材２にハンガーヒンジ部１２を介してハンガー部材５を回動自在に組み合わせる。【選択図】  図１
0003117296.tif 000002
【実用新案登録請求の範囲】
【請求項１】
略バー状を呈して形成され多数個のピンチを吊り下げて支持する第１外桟部と、この第１外桟部から互いに平行に対峙する略バー状体を呈してそれぞれ直交して一体に形成されるとともに自由端に第１ヒンジ半体部が一体に形成されかつ多数個のピンチを吊り下げて支持する少なくとも一対の第１横枠部と、これら第１横枠部にそれぞれ長さ方向に所定の間隔を以って一体に形成された多数個の第１ハンガーヒンジ半体部とを有する第１外枠半体部材と、
略バー状を呈して形成され多数個のピンチを吊り下げて支持する第２外桟部と、この第２外桟部から互いに平行に対峙する略バー状体を呈してそれぞれ直交して一体に形成されるとともに自由端に第２ヒンジ半体部が一体に形成されかつ多数個のピンチを吊り下げて支持する少なくとも一対の第２横枠部と、これら第２横枠部にそれぞれ長さ方向に所定の間隔を以って一体に形成された多数個の第２ハンガーヒンジ半体部と、上記各第２横枠部を自由端の近傍位置で一体化する上記第２外桟部と平行な連結内桟部とを有し、上記各第２ヒンジ半体部が相対する上記各第１ヒンジ半体部とそれぞれ組み合わされることによって構成したヒンジ部を介して中央部位において展開状態と折畳み状態とに二つ折りされる外枠部材を構成する第２外枠半体部材と、
それぞれの先端部に上記第１外枠半体部材の上記各第１横枠部に形成された上記第１ハンガーヒンジ半体部或いは上記第２外枠半体部材の上記各第２横枠部材に形成された上記第２ハンガーヒンジ半体部に組み合わされてハンガーヒンジ部を構成するハンガーヒンジ半体部が形成され、上記各ハンガーヒンジ部を介して上記各第１横枠部或いは上記各第２横枠部に対して水平状態と折曲げ状態とに回動自在に組み合わされる多数個の第１ハンガー半体部材と、
多数個のピンチを吊り下げて支持するとともにそれぞれ相対する上記第１ハンガー半体部材に対してスライド自在に組み合わされることによって、上記各第１横枠部と上記各第２横枠部に対して伸縮自在なハンガー部材を構成する多数個の第２ハンガー半体部材と、
上記第２外枠半体部材の上記連結内桟部に設けられたフック部材と、
それぞれ一端を上記第２外枠半体部材の上記連結内桟部に固定されるとともに、他端を上記第１外枠半体部材の上記第１外桟部の両端及び上記第２外枠半体部材の上記第２外桟部の両端に固定され、上記第１外枠半体部材と上記第２外枠半体部材とを展開状態に保持する少なくとも４本の吊下げ部材と
から構成したことを特徴とする物干し装置。
【考案の詳細な説明】
【技術分野】
【０００１】
本考案は、多数個のピンチを有し、比較的小型の洗濯物を多数枚同時に吊して干すようにする物干し装置に関する。
【背景技術】
【０００２】
物干し装置は、一般に合成樹脂材や軽量金属パイプ材等によって形成され中央部から二つ折りすることが可能な枠状部材に多数個のピンチが設けられて構成される。物干し装置は、多数枚の洗濯物をそれぞれピンチで挟み込むことによってそれぞれ吊り下げた状態に保持した後に、枠状部材の中央部に設けたフック部材を物干し竿等に掛け合わせて用いられる。物干し装置は、ハンカチや靴下或いは下着等の比較的小型の洗濯物を、簡易な操作によって一括して干すことを可能とする（例えば、特許文献１参照。）。
【０００３】
物干し装置においては、例えばバスタオル等の比較的大判の洗濯物を干す場合には拡げて干すことができないことから、一般に折り畳んだ状態でピンチによって挟み込んで吊り下げるようにしている。物干し装置においては、大判の洗濯物が、ピンチの挟み込み部位に皺寄りを生じさせるとともに、重なり合い部分の乾きを遅くさせるといった問題を生じさせる。
【０００４】
ところで、物干し装置においては、洗濯物が例えば比較的小型であってもＴシャツやブラウス等の衣類である場合に、これらの肩口等をピンチによって挟み込んで吊り下げて干すことによって部分的に伸びて型くずれを生じさせてしまう虞がある。特許文献２或いは特許文献３には、枠状部材に対して多数個のピンチとともに多数個のハンガー部材が吊り下げられて設けられた物干し装置が開示されている。かかる物干し装置は、ピンチとハンガー部材とを選択して用いることによって種々の洗濯物を干すことが可能であり、多目的化が図られる。
【０００５】
【特許文献１】特開２００５−６５８０６公報
【特許文献２】特開２０００−３５０９００公報
【特許文献３】実用新案登録第３１１１１５１号公報
【考案の開示】
【考案が解決しようとする課題】
【０００６】
上述した多目的物干し装置においては、ピンチで挟み込んで干す洗濯物とハンガー部材に掛けて干す洗濯物のように干し方を異にする洗濯物に対して使い分けが可能ではある。しかしながら、多目的物干し装置は、枠状部材に対してピンチとハンガー部材とを固定して設けた構造であることから、これらピンチとハンガー部材とが所定の洗濯物に専用に用いられる。したがって、多目的物干し装置は、干し方を異にする洗濯物を同時に干すことを可能とする多目的化が図られてはいるが、干し方を異にする洗濯物の数量によって用いられないピンチやハンガー部材が生じてスペース効率が悪くなるといった問題がある。
【０００７】
また、多目的物干し装置においては、もっぱら衣類用として使用されるハンガー部材が設けられているが、これらハンガー部材と衣類等の肩幅のサイズとが合わない場合に衣類等の肩口部分を飛び出させて型くずれを生じさせ或いはハンガー部材からのずり落ちを生じさせてしまうことがあるために使用する場合に注意が必要である。なお、かかる多目的物干し装置においても、比較的大判の洗濯物への対応が図られてはいない。
【０００８】
したがって、本考案は、干し方を異にする洗濯物やサイズを異にする洗濯物を、同時に最適な状態で干すことを可能として多目的化を図る物干し装置を提供することを目的に提案されたものである。
【課題を解決するための手段】
【０００９】
上述した目的を達成する本考案にかかる物干し装置は、第１外枠半体部材と、第２外枠半体部材と、多数個の第１ハンガー半体部材と、多数個の第２ハンガー半体部材と、フック部材と、少なくとも４本の吊下げ部材とから構成される。物干し装置は、第１外枠半体部材が、例えば合成樹脂材によって一体に形成され、略バー状を呈して形成され多数個のピンチを吊り下げて支持する第１外桟部と、この第１外桟部から互いに平行に対峙する略バー状体を呈してそれぞれ直交して一体に形成されるとともに自由端に第１ヒンジ半体部が一体に形成されかつ多数個のピンチを吊り下げて支持する少なくとも一対の第１横枠部と、これら第１横枠部にそれぞれ長さ方向に所定の間隔を以って一体に形成された多数個の第１ハンガーヒンジ半体部とを有する。
【００１０】
物干し装置は、第２外枠半体部材も、例えば合成樹脂材によって一体に形成され、略バー状を呈して形成され多数個のピンチを吊り下げて支持する第２外桟部と、この第２外桟部から互いに平行に対峙する略バー状体を呈してそれぞれ直交して一体に形成されるとともに自由端に第２ヒンジ半体部が一体に形成されかつ多数個のピンチを吊り下げて支持する少なくとも一対の第２横枠部と、これら第２横枠部にそれぞれ長さ方向に所定の間隔を以って一体に形成された多数個の第２ハンガーヒンジ半体部と、各第２横枠部を自由端の近傍位置で一体化する第２外桟部と平行な連結内桟部とを有する。第２外枠半体部材は、各第２ヒンジ半体部が第１外枠半体部材側の相対する各第１ヒンジ半体部とそれぞれ組み合わされることによってヒンジ部を構成し、これらヒンジ部を介して中央部位において展開状態と折畳み状態とに二つ折りされる外枠部材を構成する。
【００１１】
物干し装置は、各第１ハンガー半体部材が、それぞれの先端部に第１外枠半体部材の各第１横枠部に形成された第１ハンガーヒンジ半体部或いは第２外枠半体部材の各第２横枠部材に形成された第２ハンガーヒンジ半体部と組み合わされてハンガーヒンジ部を構成するハンガーヒンジ半体部が形成される。各第１ハンガー半体部材は、各ハンガーヒンジ部を介して各第１横枠部或いは各第２横枠部に対して、水平状態と折曲げ状態とに回動自在に組み合わされる。
【００１２】
物干し装置は、各第２ハンガー半体部材が、多数個のピンチを吊り下げて支持するとともにそれぞれ相対する第１ハンガー半体部材に対してスライド自在に組み合わされる。第２ハンガー半体部材は、第１ハンガー半体部材と組み合わされて、各第１横枠部と各第２横枠部に対して組み付けられた伸縮自在な多数個のハンガー部材を構成する。
【００１３】
物干し装置は、フック部材が第２外枠半体部材の連結内桟部に設けられ、このフック部材を物干し竿等に掛け合わせて吊り下げられるようにする。物干し装置は、４本の吊下げ部材が、それぞれ一端を第２外枠半体部材の連結内桟部に固定されるとともに、他端を第１外枠半体部材の第１外桟部の両端及び第２外枠半体部材の第２外桟部の両端に固定される。各吊下げ部材は、ヒンジ部を介して展開された第１外枠半体部材と第２外枠半体部材とを、展開した状態に保持する。
【００１４】
物干し装置においては、使用されない場合に、ヒンジ部を介して第１外枠半体部材と第２外枠半体部材とが折り畳み状態とされる。物干し装置においては、使用時にヒンジ部を介して第１外枠半体部材と第２外枠半体部材とが展開されるとともに、４本の吊下げ部材によってこれら第１外枠半体部材と第２外枠半体部材とがほぼ同一面を構成して展開状態を保持されることによって外枠部材を構成する。物干し装置は、フック部材を介して物干し竿等に吊り下げられる。
【００１５】
物干し装置においては、外枠部材や各ハンガー部材にそれぞれ設けた多数個のピンチによって洗濯物を拡げた状態で吊り下げるようにする。物干し装置においては、各ハンガー部材が第１ハンガー半体部材に対して第２ハンガー半体部材を引き出すことによって長尺とされることにより、大きな洗濯物も拡げた状態で吊り下げることを可能とする。物干し装置においては、各ハンガー部材が第１ハンガー半体部材を外枠部材の横枠部に対してハンガーヒンジ部を介して所定の角度に折り曲げて先端下がりの状態とすることによって、例えばサイズを異にする袖付き洗濯物等の洗濯物についても最適な形態を保持して型くずれを生じさせないようにして吊り下げることを可能とする。
【考案の効果】
【００１６】
以上のように構成された本考案にかかる物干し装置によれば、多数個のハンガー部材をそれぞれ伸縮自在としたことによって、大きさを異にする多数枚の洗濯物をそれぞれ拡げた状態にして各ピンチで挟んで吊り下げて干すことを可能とする。また、本考案にかかる物干し装置によれば、横枠部に対して各ハンガー部材を先端下がりの状態とすることによって、ピンチで挟んで吊り下げて干すと型くずれが生じてしまう虞のある衣類等であってもいわゆる最適な形態を保持するハンガー形状を以って干すことを可能とし、また各ハンガー部材を伸縮させることによって様々なサイズの衣類等に対しても対応することが可能である。したがって、本考案にかかる物干し装置によれば、干し方を異にする洗濯物や比較的大判の洗濯物であってもスペースの効率化を図って同時にかつ最適な状態で干すことが可能であり、実用的な多目的化が図られる。
【考案を実施するための最良の形態】
【００１７】
以下、本考案の実施の形態として図面に示した物干し装置１について詳細に説明する。物干し装置１は、図１に示すように、外枠部材２を構成する第１外枠半体部材３及び第２外枠半体部材４と、第１外枠半体部材３と第２外枠半体部材４にそれぞれ相対して設けられて多数個のハンガー部材５を構成する第１ハンガー半体部材６及び第２ハンガー半体部材７と、物干し竿等に掛け合わされるフック部材８と、第１外枠半体部材３と第２外枠半体部材４を展開した状態に保持する少なくとも４本の吊下げ部材９Ａ乃至９Ｄ（以下、個別に説明する場合を除いて吊下げ部材９と総称する。）と、外枠部材２やハンガー部材５に設けられた多数個のピンチ１０とから構成される。
【００１８】
物干し装置１は、外枠部材２が、詳細を後述するようにヒンジ部１１を介して第１外枠半体部材３と第２外枠半体部材４とを図１矢印ａで示すように展開した状態と内側へと折り畳んで二つ折りの状態とにされる。物干し装置１は、各ハンガー部材５が、詳細を後述するようにそれぞれハンガーヒンジ部１２を介して同図矢印ｂで示すように外枠部材２に対して水平状態から所定の角度に折り曲げられて先端下がりの状態に変換される。物干し装置１は、各ハンガー部材５が、詳細を後述するように第１ハンガー半体部材６に対して第２ハンガー半体部材７が同図矢印ｃで示すように軸方向に対してスライド自在に組み合わされることによって外枠部材２に対して伸縮される。
【００１９】
物干し装置１は、第１外枠半体部材３と第２外枠半体部材４及び第１ハンガー半体部材６と第２ハンガー半体部材７とが、従来の物干し装置と同様に例えばＡＢＳ樹脂やポリエチレン樹脂等の合成樹脂材によって一体に形成される。なお、物干し装置１は、これら第１外枠半体部材３と第２外枠半体部材４或いは第１ハンガー半体部材６と第２ハンガー半体部材７とを、後述するヒンジ部１１やハンガーヒンジ部１２等の結合部位を合成樹脂材によって形成するとともにバー状部位をアルミニウムパイプ等の金属材によって形成し、これらを組み合わせて構成するようにしてもよい。
【００２０】
第１外枠半体部材３は、図１に示すように、略バー状を呈して形成された第１外桟部１３と、この第１外桟部３の側面からそれぞれ直交して一体に形成され互いに平行に対峙する略バー状体に形成された一対の第１横枠部１４Ａ、１４Ｂ（以下、個別に説明する場合を除いて第１横枠部１４と総称する。）とから構成される。第１外桟部１３には、その両端部に、厚み方向の貫通孔を形成するとともにこの貫通孔を構成する環状部位の一部にスリットを形成して弾性変位を自在とした構造によって洗濯物を挟み込むことを可能とするクリップ部１５Ａ、１５Ｂが一体に形成されている。第１外桟部１３には、両端部の上縁に吊下げ部材９の一端部を固定する貫通孔を有する固定部１６Ａ、１６Ｂが一体に形成されている。
【００２１】
第１外桟部１３には、その底面にそれぞれ金属線材や鎖等からなる吊り金具１７を介して多数個のピンチ１０が所定の間隔を以って設けられている。ピンチ１０は、従来の物干し装置にも汎用されているものと同等品であることから詳細を省略するが、重ね合わせた一対の挟み片を中央部においてヒンジ結合するとともに、ヒンジ部に組み付けた挟みバネによって一端側に圧接習性を付与して挟み部位として構成しかつ他端側を操作部位として構成する。ピンチ１０は、操作部位を押圧することによって挟みバネの弾性力に抗して挟み部位を拡げて洗濯物の適宜の箇所にあてがい、操作部位の押圧力を解除すると挟みバネの弾性力によって挟み部位が洗濯物を挟み込むようにする。
【００２２】
第１外枠半体部材３は、第１横枠部１４が第１外桟部１３に対して、両端部から互いに等しい位置において互いに同一形状とされて一体に形成される。第１横枠部１４には、その自由端にそれぞれ第１ヒンジ半体部１８Ａ、１８Ｂ（以下、個別に説明する場合を除いて第１ヒンジ半体部１８と総称する。）が一体に形成されている。第１ヒンジ半体部１８は、詳細を省略するが自由端を略半分の厚みとして段部を形成するとともに、この段部に厚み方向に貫通する軸孔を形成してなる。第１横枠部１４にも、その底面に所定の間隔を以って吊り金具１７を介して多数個のピンチ１０が設けられている。
【００２３】
第１外枠半体部材３には、第１横枠部１４の外側面に、それぞれ長さ方向に所定の間隔を以って多数個の第１ハンガーヒンジ半体部１９Ａ、１９Ｂ（以下、個別に説明する場合を除いて第１ハンガーヒンジ半体部１９と総称する。）が一体に形成されている。第１ハンガーヒンジ半体部１９は、それぞれ第１横枠部１４の外側面から腕状に直交して突出する部位からなり、図３に示すように自由端を略半分の厚みとして段部２０を形成するとともに、この段部２０に厚み方向に貫通して軸孔２１を形成してなる。第１ハンガーヒンジ半体部１９には、軸孔２１の一部に軸心方向に突出するラジアルクリック凸部２２が形成される。
【００２４】
第２外枠半体部材４は、図１に示すように、略バー状を呈して形成された第２外桟部２３と、この第２外桟部２３の側面からそれぞれ直交して一体に形成され互いに平行に対峙する略バー状体に形成された一対の第２横枠部２４Ａ、２４Ｂ（以下、個別に説明する場合を除いて第２横枠部２４と総称する。）と、これら第２横枠部２４を自由端において一体化する第２外桟部２３と平行な内桟部２５とから構成される。第２外桟部２３は、第１外枠半体部材３の第１外桟部１３とほぼ同一形状とされ、その両端部に厚み方向の貫通孔を形成するとともにこの貫通孔を構成する環状部位の一部にスリットを形成して弾性変位を自在とした構造によって洗濯物を挟み込むことを可能とするクリップ部２６Ａ、２６Ｂが一体に形成されている。第２外桟部２３には、両端部の上縁に吊下げ部材９の一端部を固定する貫通孔を有する固定部２７Ａ、２７Ｂが一体に形成されている。第２外桟部２３にも、その底面にそれぞれ上述した吊り金具１７を介して多数個のピンチ１０が所定の間隔を以って設けられる。
【００２５】
第２外枠半体部材４にも、第２横枠部２４が第２外桟部２３に対して、両端部から互いに等しい位置において互いに同一形状とされて一体に形成される。第２横枠部２４は、第１外枠半体部材３の第１２横枠部１４とほぼ同一形状とされ、その底面にそれぞれ上述した吊り金具１７を介して多数個のピンチ１０が所定の間隔を以って設けられる。第２横枠部２４にも、第２外枠半体部材４が第１外枠半体部材３と組み合わされた状態においてその第１横枠部１４の自由端と突き合わされる自由端にそれぞれ第２ヒンジ半体部２８Ａ、２８Ｂ（以下、個別に説明する場合を除いて第２ヒンジ半体部２８と総称する。）が一体に形成されている。
【００２６】
第２ヒンジ半体部２８も、詳細を省略するが自由端に、上述した第１外枠半体部材３の第１ヒンジ半体部１８の段部と対向する部位を略半分の厚みとして段部を形成するとともに、この段部に厚み方向に貫通する軸孔を形成してなる。第２ヒンジ半体部２８は、第１外枠半体部材３の第１ヒンジ半体部１８に対して相対する段部が組み合わされ、連通した互いの軸孔にフランジ付き支軸１１Ａが嵌挿される（図１参照）。第２ヒンジ半体部２８は、適宜の抜け止め構造によって嵌挿された支軸１１Ａを抜け止めすることによって、第１ヒンジ半体部１８と共同して第１外枠半体部材３と第２外枠半体部材４とを展開自在とするヒンジ部１１を構成する。なお、第１ヒンジ半体部１８と第２ヒンジ半体部２８は、上述した構造に限定されるものでは無く、第１外枠半体部材３と第２外枠半体部材４とを展開自在に組み合わせる適宜のヒンジ部１１を構成する構造であってもよいことは勿論である。
【００２７】
第２外枠半体部材４にも、第２横枠部２４の外側面に、それぞれ長さ方向に所定の間隔を以って多数個の第２ハンガーヒンジ半体部２９Ａ、２９Ｂ（以下、個別に説明する場合を除いて第２ハンガーヒンジ半体部２９と総称する。）が一体に形成されている。第２ハンガーヒンジ半体部２９も、第１外枠半体部材３側の第１ハンガーヒンジ半体部１９と同一形状に形成された部位であり、それぞれ第２横枠部２４の外側面から腕状に直交して突出され、自由端を略半分の厚みとして段部を形成するとともに、この段部に厚み方向に貫通して軸孔が形成されかつ軸孔の一部に軸方向に突出してクリック凸部が形成される。
【００２８】
内桟部２５には、図１及び図２に示すように、長さ方向の中央部に位置して上方へと突出するフック取付部３０が一体に形成されている。フック取付部３０には、詳細を省略するが後述するフック部材８を取り付けるための取付孔３１が高さ方向に貫通して形成されている（図２参照）。また、内桟部２５には、両側の上端近傍位置に、吊下げ部材９の一端部をそれぞれ掛け止めする掛止め孔３２が形成されている。さらに、内桟部２５には、底面の中央部に位置して、未使用時に外枠部材２を折り畳んだ状態で適宜の場所に吊り下げるようにするハンドル部３３が一体に形成されている。なお、内桟部２５は、詳細を省略するが第２横枠部２４との連結部位に上述した第２ハンガーヒンジ半体部２９が共同して形成される。
【００２９】
外枠部材２は、上述したように第２外枠半体部材４側に内桟部２５を形成するようにしたが、第１外枠半体部材３側に内桟部を形成するようにしてもよいことは勿論である。また、外枠部材２は、第１外枠半体部材３と第２外枠半体部材４とにそれぞれ内桟部を形成するようにしてもよく、また複数の内桟部を形成することによって機械的強度を向上させるようにしてもよい。外枠部材２は、横枠部１４、２４がそれぞれピンチ１０を設けて洗濯物を吊り下げる部位を構成するとともに多数個のハンガー部材５の支持部材を構成することから、外桟部１３、２３に対してやや大きな肉厚で形成される。
【００３０】
物干し装置１は、上述した外枠部材２を構成する第１外枠半体部材３と第２外枠半体部材４に形成した各第１ハンガーヒンジ半体部１９と第２ハンガーヒンジ半体部２９に対して、それぞれハンガー部材５がハンガーヒンジ部１２を構成してそれぞれの基端部を回動自在に支持されて組み合わされる。物干し装置１は、各ハンガー部材５が外枠部材２に対して、互いに水平な状態と先端前下がりの状態とに変換自在に組み合わされる。物干し装置１は、各ハンガー部材５を、先端前下がりの状態で水平な状態から２０°乃至３０°程度の角度が付されるようにする。
【００３１】
ハンガー部材５は、詳細を後述するように第１ハンガー半体部材６と第２ハンガー半体部材７との２部材によって構成する。ハンガー部材５は、第１ハンガー半体部材６がその基端部を外枠部材２に対してハンガーヒンジ部１２を介して回動自在に組み合わされるとともに、第１ハンガー半体部材６に対して第２ハンガー半体部材７がそれぞれスライド機構３４を介して伸縮自在に組み合わされる。
【００３２】
第１ハンガー半体部材６は、図２及び図４に示すように、基部３５と、この基部３５の一方側面に形成したハンガーヒンジ半体部３６と、基部３５のハンガーヒンジ半体部３６と対向する他方側面に一体に突設したハンガー軸部３７とから構成される。第１ハンガー半体部材６は、基部３５が、第１外枠半体部材３や第２外枠半体部材４の第１ハンガーヒンジ半体部１９や第２ハンガーヒンジ半体部２９と断面形状をほぼ同等に形成される。なお、第１外枠半体部材３と第２外枠半体部材４は、上述したように左右対称に形成されることから、以下第１外枠半体部材３のみを代表例として第１ハンガー半体部材６との組み合わせ構造について説明する。
【００３３】
ハンガーヒンジ半体部３６は、第１外枠半体部材３側の第１ハンガーヒンジ半体部１９に形成した段部２０と組み合わされる部位であり、図３に示すように基部３５の自由端を略半分の厚みとして段部３８を形成するとともにこの段部３８の側面にヒンジ軸部３９が一体に形成される。ヒンジ軸部３９は、その外径が第１ハンガーヒンジ半体部１９に形成した軸孔２１の内径とほぼ同径とされるとともに、段部２０を貫通するに足る軸長を有して形成される。ヒンジ軸部３９には、図３及び図４に示すように、外周面に軸方向の第１ラジアルクリック凹部４０と第２ラジアルクリック凹部４１とが形成されるとともに先端部に円周方向の嵌合凹部４２が形成されている。ヒンジ軸部３９は、第１ラジアルクリック凹部４０と第２ラジアルクリック凹部４１とを、例えば２０°乃至３０°の間隔を以って形成する。
【００３４】
ハンガーヒンジ半体部３６は、図３に示すように第１ハンガーヒンジ半体部１９に対して、基部３５の段部３８を段部２０と対向させてヒンジ軸部３９を軸孔２１に貫通させるとともに、軸孔２１から突出した先端部に形成した嵌合凹部４２に抜止めリング４３を嵌め込むことによって抜け止めされてハンガーヒンジ部１２を構成して組み合わされる。ハンガーヒンジ半体部３６は、ヒンジ軸部３９に形成した第１ラジアルクリック凹部４０に軸孔２１に形成したラジアルクリック凸部２２が相対係合した状態で、第１ハンガー半体部材６が第１ハンガーヒンジ半体部１９に対して水平状態に組み合されるようにする。ハンガーヒンジ半体部３６は、この状態から図２に示すように矢印ｂ方向に回動されて第２ラジアルクリック凹部４１にラジアルクリック凸部２２が相対係合されるようにすると、第１ハンガー半体部材６が第１ハンガーヒンジ半体部１９に対して２０°乃至３０°の角度で先端下がり状態とされるようにする。
【００３５】
ハンガーヒンジ部１２においては、外枠部材２と第１ハンガー半体部材６とを合成樹脂材によって形成したことにより、軸孔２１の内周壁やヒンジ軸部３９がやや弾性変形することによって回動することが可能である。ハンガーヒンジ部１２は、例えば軸孔２１側にクリック凹部を形成するとともにヒンジ軸部３９側にクリック凸部を形成するようにしてもよい。また、ハンガーヒンジ部１２は、クリック凸部を板バネ等の弾性材によって形成するようにしてもよい。
【００３６】
なお、ハンガーヒンジ部１２は、上述した構造に限定されないことは勿論であり、例えば上述した第１外枠半体部３と第２外枠半体部４とを連結するヒンジ部１１と同様の構造であってもよい。すなわち、ハンガーヒンジ部１２は、ヒンジ軸部３９に代えて軸孔を形成したハンガーヒンジ半体部３６が軸孔を連通させて第１ハンガーヒンジ半体部１９と組み合わされ、連通した軸孔に支軸を嵌挿して構成するようにしてもよい。
【００３７】
ハンガー軸部３７は、基部３５から一体に突設された所定の長さを有する軸状部位であり、図４に示すように軸方向に所定の間隔を以って外周部に第１スライドクリック凹部４４と第２スライドクリック凹部４５とが形成される。ハンガー軸部３７は、後述するようにこれら第１スライドクリック凹部４４と第２スライドクリック凹部４５がスライド機構３４を構成して、第１ハンガー半体部材６に対して第２ハンガー半体部材７がスライド位置を位置決めされるようにしてスライド自在に組み合わされるようにする。
【００３８】
第２ハンガー半体部材７は、図２及び図４に示すように、その内部に基端側に開口された軸方向の有底軸孔からなる嵌合孔４６を有する筒状の部材に形成される。第２ハンガー半体部材７は、嵌合孔４６がその内径及び長さを、上述した第１ハンガー半体部材６側のハンガー軸部３７の外径及び長さとほぼ等しく形成される。嵌合孔４６には、図４に示すようにその内壁に軸方向に離間して第１スライドクリック凸部４７と第２スライドクリック凸部４８とが形成されている。第１スライドクリック凸部４７と第２スライドクリック凸部４８は、上述した第１ハンガー半体部材６側の第１スライドクリック凹部４４と第２スライドクリック凹部４５とに対応して形成されている。
【００３９】
第２ハンガー半体部材７には、上述した外枠部材１２の各外桟部１３、２３に形成したクリップ部１５と同様に、先端部に厚み方向の貫通孔を形成するとともにこの貫通孔を構成する環状部位の一部にスリットを形成して弾性変位を自在とした構造によって洗濯物を挟み込むことを可能とするクリップ部４９が一体に形成される。第２ハンガー半体部材７には、クリップ部４９の近傍に位置して底面に上述した吊り金具１７を介して多数個のピンチ１０が設けられる。
【００４０】
以上のように構成された第２ハンガー半体部材７は、嵌合孔４６内にその開口部側からハンガー軸部３７の先端が押し込まれて嵌合することによって第１ハンガー半体部材６と一体化されてハンガー部材５を構成する。第２ハンガー半体部材７は、嵌合孔４６とハンガー軸部３７とがスライド機構３４を構成して、ハンガー軸部３７の長さ範囲において第１ハンガー半体部材６に対してスライド自在とされることによってハンガー部材５の長さを調整自在とする。
【００４１】
ハンガー部材５は、第１ハンガー半体部材６と第２ハンガー半体部材７とが図４に実線で示すように第１スライドクリック凹部４４及び第２スライドクリック凹部４５に対して第１スライドクリック凸部４７及び第２スライドクリック凸部４８が相対係合した状態において、全体が縮められた状態となる。ハンガー部材５は、同図鎖線で示すように第１ハンガー半体部材６に対して第２ハンガー半体部材７が引き出されると、第１スライドクリック凸部４７が第２スライドクリック凹部４５に係合して伸ばされた状態を保持される。なお、ハンガー部材５は、縮められた状態で外枠部材２の第１外桟部１３や第２外桟部２３とほぼ同長となる。
【００４２】
なお、ハンガー部材５は、第１ハンガー半体部材６と第２ハンガー半体部材７とを一体化するスライド機構３４が上述した構造に限定されるものでは無いことは勿論である。ハンガー部材５は、第１ハンガー半体部材６にハンガー軸部３９を形成するとともに第２ハンガー半体部材７を筒状として嵌合孔４６を形成したが、第１ハンガー半体部材６を筒状とするとともに第２ハンガー半体部材７側を軸状としてもよい。また、ハンガー部材５は、ハンガー軸部３９側にスライドクリック凸部を形成するとともに嵌合孔４６内にスライドクリック凹部を形成するようにしてもよい。さらに、ハンガー部材５は、成形性を得るために、筒状に形成される部材が分割部材を組み合わせて構成するようにしてもよい。
【００４３】
フック部材８は、例えばステンレス棒等が用いられ、図２に示すように先端部をフック状に形成するとともに、下端側を第２外枠半体部材４のフック取付部３０の高さよりも長尺の直棒状に形成する。フック部材８は、直棒部位を第２外枠半体部材４のフック取付部３０に形成した高さ方向の取付孔３１に貫通し、その先端部を詳細を省略する抜止め部材４９によって抜け止めすることによって外枠部材２に取り付けられる。フック部材８は、フック状部位を物干し竿等に掛け合わせることによって物干し装置１を吊り下げる。
【００４４】
吊下げ部材９は、例えば金属線材やチェーン等が用いられ、上述したように一端部をフック取付部３０に固定するとともに、他端部を第１外桟部１３の固定部１６或いは第２外桟部２３の固定部２７にそれぞれ固定する。吊下げ部材９は、ヒンジ部１１を介して第１外枠半体部材３と第２外枠半体部材４とが展開される際に、これら半体部材３、４が互いに略同一面を構成する長さを有している。
【００４５】
物干し装置１は、第１外枠半体部材３と第２外枠半体部材４とが、第１横枠部１４と第２横枠部２４の先端部に形成された第１ヒンジ半体部１８と第２ヒンジ半体部２８とを組み合わせてヒンジ部１１を構成し、このヒンジ部１１を介して二つ折り自在な外枠部材２を構成する。物干し装置１は、ハンガー軸部３７を嵌合孔４６内に嵌合することによって第１ハンガー半体部材６と第２のハンガー半体部材７とを一体化して多数個のハンガー部材５を構成する。物干し装置１は、第１ハンガー半体部材６と第２のハンガー半体部材７とがスライド機構３４を構成して組み合わされることによって、各ハンガー部材５が伸縮自在とされる。
【００４６】
物干し装置１は、第１外枠半体部材３の第１横枠部１４に形成した第１ハンガーヒンジ半体部１９に対して、ハンガー部材５が第１ハンガー半体部材６に形成したハンガーヒンジ半体部３６を組み合わされてハンガーヒンジ部１２を構成してそれぞれ回動自在に組み合わされる。干し装置１は、同様にして第２外枠半体部材４の第２横枠部２４に形成した第２ハンガーヒンジ半体部２９に対して、ハンガー部材５が第１ハンガー半体部材６に形成したハンガーヒンジ半体部３６を組み合わされてハンガーヒンジ部１２を構成してそれぞれ回動自在に組み合わされる。
【００４７】
物干し装置１は、通常ハンガー部材５が外枠部材２と略同一面を構成した状態に保持される。物干し装置１は、ハンガー部材５を強く下側へと回動操作することによって、ハンガーヒンジ部１２を介して外枠部材２に対して先端下がりの状態に回動される。物干し装置１は、通常外枠部材２の各外桟部１３、２３とほぼ同長に保持されている。物干し装置１は、ハンガー部材５が、第１ハンガー半体部材６に対して第２ハンガー半体部材７を強く引き出す操作を行うことによって、全長が伸ばされる。
【００４８】
以上のように構成された物干し装置１は、干し方を異にする洗濯物やサイズを異にする洗濯物を同時に最適な状態で干すことが可能である。物干し装置１は、図５に示すように例えばハンカチや靴下等の比較的小型でありかつピンチ１０に挟んで吊り下げても支障の無い洗濯物６０を干す場合には、外枠部材２に対して各ハンガー部材５を縮めた状態で用いられる。なお、物干し装置１は、サイズが小さなものは横枠部１４、２４に設けたピンチ１０を利用して洗濯物を吊り下げるようにするとともに、やや大きな洗濯物については各ハンガー部材５や外桟部１３、２３に設けたピンチが利用される。
【００４９】
物干し装置１においては、例えばＴシャツやＹシャツ或いはブラウス等の衣類のようにピンチ１０に挟んで吊り下げた場合に型くずれを生じさせる虞がある洗濯物６１がある場合には、図６に示すように一部のハンガー部材５が横枠部１４、２４に対してそれぞれハンガーヒンジ部１２を介して前下がりの状態に回動される。物干し装置１においては、当該ハンガー部材５を洗濯物６１の袖口に通して吊り下げるようにすることで、型くずれを生じさせることなく干すことを可能とする。
【００５０】
物干し装置１においては、例えばタオル等の大判の洗濯物６２を干す場合には、図７に示すように一部のハンガー部材５がスライド機構３４を介して第１ハンガー半体部材６から第２ハンガー半体部材７が引き出されて全長が長尺とされる。物干し装置１においては、これによって大判の洗濯物６２であっても拡げた状態で干すことが可能であり、皺よりの発生を抑制するとともに乾きをよくする。
【００５１】
物干し装置１においては、大きなサイズの衣類のような洗濯物６３の場合に、上述した図６の形態のままで吊り下げると洗濯物６３がハンガー部材５からずり落ちてしまうことがある。物干し装置１においては、ハンガー部材５の全長と洗濯物６３の肩幅との長さが合わないことから、肩口の部分に型くずれを生じさせる虞もある。物干し装置１においては、ハンガー部材５が、図８に示すように横枠部１４、２４に対してそれぞれハンガーヒンジ部１２を介して前下がりの状態に回動されるとともに、スライド機構３４を介して第１ハンガー半体部材６から第２ハンガー半体部材７を引き出した長尺の状態とする。物干し装置１においては、かかる形態によって大きなサイズでピンチ１０によって吊り下げることができない洗濯物６３であっても、型くずれを生じさせることなく干すことを可能とする。
【図面の簡単な説明】
【００５２】
【図１】本考案の実施の形態として示す物干し装置の要部分解斜視図である。
【図２】同物干し装置の断面図である。
【図３】ハンガーヒンジ部の構成を説明する要部分解斜視図である。
【図４】ハンガー部材に設けられたスライド機構を説明する要部分解斜視図である。
【図５】小物洗濯物を吊り下げた使用状態の説明図である。
【図６】小サイズ衣類を吊り下げた使用状態の説明図である。
【図７】大判の洗濯物を吊り下げた使用状態の説明図である。
【図８】大サイズ衣類を吊り下げた使用状態の説明図である。
【符号の説明】
【００５３】
１  物干し装置、２  外枠部材、３  第１外枠半体部材、４  第２外枠半体部材、５  ハンガー部材、６  第１ハンガー半体部材、７  第２ハンガー半体部材、８  フック部材、９  吊下げ部材、１０  ピンチ、１１  ヒンジ部、１２  ハンガーヒンジ部、１３  第１外桟部、１４  第１横枠部、１５  クリップ部、１６  固定部、１７  吊り金具、１８  第１ヒンジ半体部、１９  第１ハンガーヒンジ半体部、２０  段部、２１  軸孔、２２  ラジアルクリック凸部、２３  第２外桟部、２４  第２横枠部、２５  内桟部、２６  クリップ部、２７  固定部、２８  第２ヒンジ半体部、２９  第２ハンガーヒンジ半体部、３０  フック取付部、３４  スライド機構、３５  基部、３６  ハンガーヒンジ半体部、３７  ハンガー軸部、３８  段部、３９  ヒンジ軸部、４０  第１ラジアルクリック凹部、４１  第２ラジアルクリック凹部、４２  嵌合凹部、４３  抜止めリング、４４  第１スライドクリック凹部、４５  第２スライドクリック凹部、４６  嵌合孔、４７  第１スライドクリック凸部、４８  第２スライドクリック凸部
【図１】
0003117296.tif 000003
【図２】
0003117296.tif 000004
【図３】
0003117296.tif 000005
【図４】
0003117296.tif 000006
【図５】
0003117296.tif 000007
【図６】
0003117296.tif 000008
【図７】
0003117296.tif 000009
【図８】
0003117296.tif 000010